(57)【特許請求の範囲】
【請求項１】
自走可能な下部走行体と、該下部走行体上に旋回可能に搭載された上部旋回体と、該上部旋回体の前側で左，右方向の中間位置に俯仰動可能に設けられた作業装置とからなり、
前記上部旋回体は、前側に位置して左，右方向の中間位置に連結ピンを介して前記作業装置を取付けるための取付ブラケットが設けられた旋回フレームと、前端が前記旋回フレームの前記取付ブラケットよりも後側に位置すると共に前記旋回フレームの左，右方向の一側に片寄せて配設された貯油タンクとを備えてなる建設機械において、
前記旋回フレームの左，右方向の一側には、前記貯油タンクよりも前側に位置して上面の高さ寸法が小さい第１の収容ケースを設け、
該第１の収容ケースの上面の後側または該第１の収容ケースと前記貯油タンクとの間には、上面の位置が前記第１の収容ケースの上面よりも高く、前記貯油タンクの上面よりも低い第２の収容ケースを設け、
前記第１の収容ケースと前記第２の収容ケースのうち一方の収容ケース内には、物品を収容するための物品収容空間を画成し、
前記第１の収容ケースと前記第２の収容ケースのうち他方の収容ケース内には、タンク収容空間内に位置して液体還元剤を貯える還元剤タンクを設ける構成としたことを特徴とする建設機械。
【請求項２】
前記第２の収容ケースは、前記第１の収容ケースに対して取付け、取外し可能に設け、
前記第２の収容ケースを取外すことにより、前記作業装置を前記取付ブラケットに接続している前記連結ピンを抜き差しするための抜き差しスペースを形成する構成としてなる請求項１に記載の建設機械。
【請求項３】
前記旋回フレームには、底部側に位置してアンダカバーを設け、
前記タンク収容空間は、前記収容ケースの上面と前記アンダカバーとの間の空間として形成してなる請求項１に記載の建設機械。
【請求項４】
前記還元剤タンクには、前側または上側に向けて開口するように給水口を設け、
前記各収容ケースのうち前記還元剤タンクが設けられる収容ケースには、前記還元剤タンクの給水口を覆う位置に開閉可能なカバーを設ける構成としてなる請求項１に記載の建設機械。
【請求項５】
前記第１の収容ケースには、開口を開閉する第１のカバーを設け、
前記第２の収容ケースには、開口を開閉する第２のカバーを設ける構成としてなる請求項１に記載の建設機械。
【請求項６】
前記第１の収容ケースには、前面と上面との角隅を支点として開閉する第１のカバーを設け、
前記第２の収容ケースには、上面の後側を支点として開閉する第２のカバーを設け、
前記第１の収容ケースの上面には、足を掛けたときの滑りを止める滑止め部材を設け、
前記第２の収容ケースの前記第２のカバーの上面には、足を掛けたときの滑りを止める滑止め部材を設ける構成としてなる請求項１に記載の建設機械。
【請求項７】
前記第２の収容ケースは、前記第１の収容ケースの上面に重ねて配置し、
下側に位置する前記第１の収容ケース内には、前記タンク収容空間を設け、
該タンク収容空間内には、前記還元剤タンクを収容する構成としてなる請求項１に記載の建設機械。
【請求項８】
前記第１の収容ケース内には、還元剤タンク内の液体還元剤を排気ガス浄化装置に供給するための還元剤供給ポンプを設け、
前記還元剤供給ポンプは、前記還元剤タンクの後面と前記第１の収容ケースの後面との間に配置する構成としてなる請求項７に記載の建設機械。
【請求項９】
前記第２の収容ケースは、前記第１の収容ケースの後側と前記貯油タンクとの間に配置し、
前記第２の収容ケース内には、前記タンク収容空間を設け、
該タンク収容空間内には、前記還元剤タンクを収容する構成としてなる請求項１に記載の建設機械。
【発明の詳細な説明】
【技術分野】
【０００１】
本発明は、例えば、尿素水等の液体還元剤を貯える還元剤タンクを搭載した油圧ショベル等の建設機械に関する。
【背景技術】
【０００２】
一般に、建設機械の代表例である油圧ショベルは、自走可能な下部走行体と、該下部走行体上に旋回可能に搭載された上部旋回体と、該上部旋回体の前側で、かつ左，右方向の中間位置に俯仰動可能に設けられた作業装置とによって構成されている。【０００３】
上部旋回体は、支持構造部材を形成する旋回フレームと、該旋回フレームの後側に搭載されたエンジンと、前記作業装置の左側となる前記旋回フレームの左前側に片寄せて設けられたキャブとを備えている。このキャブ内には、オペレータが着座する運転席等が設けられている。【０００４】
旋回フレームの左，右方向の中間位置には、前側に位置して作業装置を取付けるための取付ブラケットが設けられている。作業装置を挟んでキャブと反対側となる旋回フレームの右側には、燃料を貯える燃料タンク、作動油を貯える作動油タンク等の貯油タンクが設けられている。この貯油タンクは、その前端が旋回フレームの取付ブラケットよりも後側に位置するように配置されている。【０００５】
一方、油圧ショベルのエンジンにはディーゼルエンジンが用いられている。このディーゼルエンジンは、窒素酸化物（以下、ＮＯｘという）等を多く排出するとされている。そこで、ディーゼルエンジンの排気ガスの後処理装置として、ＮＯｘを浄化するためのＮＯｘ浄化装置がある。このＮＯｘ浄化装置は、例えばエンジンの排気管に設けられ排気ガス中の窒素酸化物を除去する尿素選択還元触媒と、還元剤として尿素水溶液を貯える還元剤タンクと、該還元剤タンク内の尿素水溶液を尿素選択還元触媒の上流側に噴射する尿素水噴射弁と、前記還元剤タンクと尿素水噴射弁とを接続する接続配管とにより構成されている。【０００６】
ここで、油圧ショベルに還元剤タンクを設ける場合、給水回数を少なくするために容量を大きく設定することが望まれる。しかし、油圧ショベルには多くの機器が搭載されているから、新たに還元剤タンクを設置するスペースを確保するのは困難である。そこで、従来技術による油圧ショベルには、工具等を収容する物品収容ケース内に還元剤タンクを収容する構成としたものが知られている（特許文献１、特許文献２）。さらに、還元剤タンクの配置場所としては、貯油タンクの周囲に配置する構成としたものが知られている（特許文献３）。
【先行技術文献】
【特許文献】
【０００７】
【特許文献１】特開２０１１−１２６６１号公報
【特許文献２】特開２００８−２４０６７６号公報
【特許文献３】特開２０１０−２３６２０８号公報
【発明の概要】
【０００８】
ところで、上述した特許文献１，２によるものでは、物品収容ケース内に還元剤タンクを収容する構成としているから、還元剤タンクの容量を大きくした場合、物品収容ケース内は、物品を収容するためのスペースが小さくなる。このため、物品収容ケースから工具や消耗品を出し入れするときの使い勝手が悪くなる上に、これらを多く収容できなくなるという問題がある。
【０００９】
一方、物品収容ケース内に還元剤タンクを収容した場合、物品収容ケース内の工具等が邪魔になって還元剤タンクにアクセスし難くなる虞があり、還元剤タンクへの給水作業に手間を要してしまうという問題がある。
【００１０】
さらに、特許文献３では、還元剤タンクを貯油タンクの周囲に露出した状態で配置している。このために、還元剤タンクは、雨水や雪に晒されるから、タンクの損傷、腐食、尿素水の凍結等が発生する虞がある上に、いたずらを防止することができないという問題がある。
【００１１】
本発明は上述した従来技術の問題に鑑みなされたもので、本発明の目的は、工具や消耗品の出し入れ、還元剤タンクへの給水作業等を容易に行うことができ、かつ還元剤タンクの損傷、腐食、尿素水の凍結、いたずら等から保護できるようにした建設機械を提供することにある。
【００１２】
（１）．本発明による建設機械は、自走可能な下部走行体と、該下部走行体上に旋回可能に搭載された上部旋回体と、該上部旋回体の前側で左，右方向の中間位置に俯仰動可能に設けられた作業装置とからなり、前記上部旋回体は、前側に位置して左，右方向の中間位置に連結ピンを介して前記作業装置を取付けるための取付ブラケットが設けられた旋回フレームと、前端が前記旋回フレームの前記取付ブラケットよりも後側に位置すると共に前記旋回フレームの左，右方向の一側に片寄せて配設された貯油タンクとを備えている。
【００１３】
上述した課題を解決するために、本発明が採用する構成の特徴は、前記旋回フレームの左，右方向の一側には、前記貯油タンクよりも前側に位置して上面の高さ寸法が小さい第１の収容ケースを設け、該第１の収容ケースの上面の後側または該第１の収容ケースと前記貯油タンクとの間には、上面の位置が前記第１の収容ケースの上面よりも高く、前記貯油タンクの上面よりも低い第２の収容ケースを設け、前記第１の収容ケースと前記第２の収容ケースのうち一方の収容ケース内には、物品を収容するための物品収容空間を画成し、前記第１の収容ケースと前記第２の収容ケースのうち他方の収容ケース内には、タンク収容空間内に位置して液体還元剤を貯える還元剤タンクを設ける構成としたことにある。
【００１４】
この構成によれば、第１の収容ケースと第２の収容ケースとを独立して設けているから、一方の収容ケース内の物品収容空間に設けた物品は、還元剤タンクに邪魔されることなく、容易に出し入れすることができ、使い勝手を良好にすることができる。一方、他方の収容ケース内のタンク収容空間内には、還元剤タンクだけを収容することができるから、例えば、工具等の物品に邪魔されることなく、還元剤タンクに液体還元剤を簡単に補給することができる。
【００１５】
還元剤タンクを収容ケース内に収容した状態では、還元剤タンクに雨水や雪が掛からないようにすることができるから、損傷、腐食に対する還元剤タンクの耐久性を向上できる上に、尿素水が凍結し難くすることができ、いたずらから保護することもできる。
【００１６】
しかも、第１の収容ケースの上面の高さ寸法を小さくし、この第１の収容ケースの上面の後側または第１の収容ケースと貯油タンクとの間に設けた第２の収容ケースの上面の高さ寸法を、第１の収容ケースの上面よりも高く、貯油タンクの上面よりも低くしているから、第１の収容ケースと第２の収容ケースとを、上部旋回体上に乗り降りするための階段として用いることもできる。
【００１７】
（２）．本発明によると、前記第２の収容ケースは、前記第１の収容ケースに対して取付け、取外し可能に設け、前記第２の収容ケースを取外すことにより、前記作業装置を前記取付ブラケットに接続している前記連結ピンを抜き差しするための抜き差しスペースを形成する構成としたことにある。
【００１８】
この構成によれば、第１の収容ケースに対して取付け、取外し可能に設けた第２の収容ケースを、第１の収容ケースから取外した状態では、作業装置を取付ブラケットに接続している連結ピンを抜き差しするための抜き差しスペースを形成することができる。これにより、２個の収容ケースのうち、第２の収容ケースだけを取外すだけで連結ピンを抜き差しすることができるから、取付ブラケットに対する作業装置の着脱作業を容易に行うことができる。
【００１９】
（３）．本発明によると、前記旋回フレームには、底部側に位置してアンダカバーを設け、前記タンク収容空間は、前記収容ケースの上面と前記アンダカバーとの間の空間として形成したことにある。
【００２０】
これにより、タンク収容空間は、第１の収容ケース内の収容スペースに、アンダカバーまでの収容スペースを加えて形成することができるから、タンク収容空間には、多くの液体還元剤を貯えることができる大型の還元剤タンクを収容することができる。
【００２１】
（４）．本発明によると、前記還元剤タンクには、前側または上側に向けて開口するように給水口を設け、前記各収容ケースのうち前記還元剤タンクが設けられる収容ケースには、前記還元剤タンクの給水口を覆う位置に開閉可能なカバーを設ける構成としたことにある。
【００２２】
この構成によれば、収容ケースに設けたカバーを開くことにより、還元剤タンクの給水口を外部に露出させることができ、この露出させた給水口から液体還元剤を補給することができる。このときに、給水口は、前側または上側に向けて開口しているから、補給し易い前側位置または上側位置から液体還元剤を円滑に補給することができる。
【００２３】
（５）．本発明によると、前記第１の収容ケースには、開口を開閉する第１のカバーを設け、前記第２の収容ケースには、開口を開閉する第２のカバーを設ける構成としたことにある。これにより、カバーを開いた状態では、収容ケース内に収容された物品の出し入れ、還元剤タンクへの補給等を開口を介して行うことができる。一方、カバーを閉じた状態では、収容ケース内に雨水や塵埃が入り込んだり、物品や還元剤タンクに対するいたずらを防止することができる。
【００２４】
（６）．本発明によると、前記第１の収容ケースには、前面と上面との角隅を支点として開閉する第１のカバーを設け、前記第２の収容ケースには、上面の後側を支点として開閉する第２のカバーを設け、前記第１の収容ケースの上面には、足を掛けたときの滑りを止める滑止め部材を設け、前記第２の収容ケースの前記第２のカバーの上面には、足を掛けたときの滑りを止める滑止め部材を設ける構成としたことにある。
【００２５】
この構成によれば、第１の収容ケースに設けられた第１のカバーを、前面と上面との角隅を支点として開くことにより、物品の出し入れ、還元剤タンクへの補給等を行うことができる。同様に、第２の収容ケースに設けられた第２のカバーを、上面の後側を支点として開くことにより、物品の出し入れ、還元剤タンクへの補給等を行うことができる。一方、それぞれのカバーを閉じた状態では、収容ケース内に雨水や塵埃が入り込んだり、物品や還元剤タンクに対するいたずらを防止することができる。
【００２６】
しかも、第１の収容ケースを低段のステップとし、第２の収容ケースを高段のステップとすることにより階段を形成することができる。これにより、例えば、給油作業を行うために貯油タンクの上側に乗る場合には、第１の収容ケースの上面、第２の収容ケースの第２のカバーの上面に順次足を運ぶことにより、これらを階段として用いて容易に乗ることができる。一方、第２の収容ケースの第２のカバー上面、第１の収容ケースの上面に順次足を掛けることにより、容易に降りることもできる。さらに、第１の収容ケースの上面および第２の収容ケースの第２のカバーの上面には、滑止め部材を設けているから、足を掛けたときの滑りを止めることができ、乗降時の安全性、給油作業等の作業性を向上することができる。
【００２７】
（７）．本発明によると、前記第２の収容ケースは、前記第１の収容ケースの上面に重ねて配置し、下側に位置する前記第１の収容ケース内には、前記タンク収容空間を設け、該タンク収容空間内には、前記還元剤タンクを収容する構成としたことにある。これにより、還元剤タンクを収容した第１の収容ケースは、旋回フレーム側に残した状態で、第２の収容ケースだけを簡単に取外すことができる。
【００２８】
（８）．本発明によると、前記第１の収容ケース内には、還元剤タンク内の液体還元剤を排気ガス浄化装置に供給するための還元剤供給ポンプを設け、前記還元剤供給ポンプは、前記還元剤タンクの後面と前記第１の収容ケースの後面との間に配置する構成としたことにある。これにより、還元剤タンクの後面と第１の収容ケースの後面との間のスペースを利用して還元剤供給ポンプを設けることができ、この還元剤供給ポンプを用いて還元剤タンク内の液体還元剤を排気ガス浄化装置に向けて供給することができる。
【００２９】
（９）．本発明によると、前記第２の収容ケースは、前記第１の収容ケースの後側と前記貯油タンクとの間に配置し、前記第２の収容ケース内には、前記タンク収容空間を設け、該タンク収容空間内には、前記還元剤タンクを収容する構成としたことにある。これにより、物品を収容した第１の収容ケースは、旋回フレーム側に残した状態で、第２の収容ケースだけを簡単に取外すことができる。
【図面の簡単な説明】
【００３０】
【図１】本発明の第１の実施の形態に適用される油圧ショベルを示す正面図である。
【図２】上部旋回体等を建屋カバーの一部を省略した状態で示す平面図である。
【図３】旋回フレームを単体で示す平面図である。
【図４】旋回フレームの前側と燃料タンクの一部を示す要部拡大の斜視図である。
【図５】旋回フレームと燃料タンクと第１の収容ケースと第２の収容ケースと還元剤タンクとを図２中の矢示Ｖ−Ｖ方向からみた要部拡大の断面図である。
【図６】旋回フレームと燃料タンクと第１の収容ケースと第２の収容ケースと還元剤タンクとを図４と同様位置から見た要部拡大の斜視図である。
【図７】旋回フレームと燃料タンクと還元剤タンクとを第１、第２の収容ケースを取外して図６と同様位置から見た要部拡大の斜視図である。
【図８】第２の収容ケースを取外して連結ピンの抜き差しスペースを形成した状態を図４と同様位置から見た要部拡大の分解斜視図である。
【図９】本発明の第２の実施の形態による第１の収容ケースと第２の収容ケースと還元剤タンクを旋回フレーム、燃料タンク等と一緒に示す要部拡大の斜視図である。
【図１０】旋回フレームと燃料タンクと第１の収容ケースと第２の収容ケースと還元剤タンクとを図５と同様位置から見た要部拡大の断面図である。
【発明を実施するための形態】
【００３１】
以下、本発明の実施の形態に係る建設機械として、クローラ式の油圧ショベルを例に挙げ、添付図面に従って詳細に説明する。
【００３２】
図１ないし図８は本発明の第１の実施の形態を示している。この第１の実施の形態では、下側に位置する第１の収容ケースのタンク収容空間内に還元剤タンクを収容する構成とし、第２の収容ケースは、第１の収容ケースの上面に重ねて配置した場合を例示している。
【００３３】
図１において、１は土砂の掘削作業等に用いられる建設機械としての油圧ショベルである。この油圧ショベル１は、自走可能なクローラ式の下部走行体２と、該下部走行体２上に旋回可能に搭載された上部旋回体３と、該上部旋回体３の前側で、左，右方向の中間位置に俯仰動可能に設けられた作業装置４とにより構成されている。
【００３４】
作業装置４は、ブーム４Ａ、アーム、バケット（いずれも図示せず）を備え、これらはブームシリンダ４Ｂ、アームシリンダ、バケットシリンダ（いずれも図示せず）によって回動される。ブーム４Ａは、その基端のフート部４Ａ1が後述する旋回フレーム５の左，右の縦板５Ｂ，５Ｃの取付ブラケット５Ｂ1，５Ｃ1間に配置される。この状態で、各縦板５Ｂ，５Ｃのピン挿通孔５Ｂ2，５Ｃ2、該フート部４Ａ1に形成されたピン挿通孔４Ａ2（図８参照）に連結ピン４Ｃを挿着する。これにより、ブーム４Ａは、縦板５Ｂ，５Ｃの取付ブラケット５Ｂ1，５Ｃ1間に連結される。ここで、連結ピン４Ｃは、後述するキャブ１０と左，右方向の反対側となる右側に引き抜くことにより取外すことができ、右側から挿着することもできる。
【００３５】
図２に示すように、上部旋回体３は、後述の旋回フレーム５、エンジン６、キャブ１０、作動油タンク１１、燃料タンク１２、第１の収容ケース１３、第２の収容ケース１６、排気ガス浄化装置１９、還元剤タンク２０を含んで構成されている。
【００３６】
図３に示すように、旋回フレーム５は、前，後方向に延びる厚肉な底板５Ａと、該底板５Ａ上に立設され、左，右方向に所定の間隔をもって前，後方向に延びた左縦板５Ｂ，右縦板５Ｃと、前記底板５Ａ、各縦板５Ｂ，５Ｃから左，右方向の外向きに延び前，後方向に間隔をもって配置された複数本の張出しビーム５Ｄと、左，右方向の外側に位置して各張出しビーム５Ｄの先端に取付けられ、前，後方向に延びた左サイドフレーム５Ｅ，右サイドフレーム５Ｆとにより構成され、該旋回フレーム５は上部旋回体３の支持構造体を形成している。
【００３７】
一方、右サイドフレーム５Ｆの前端には、底板５Ａに向けて延びる前側ビーム５Ｇが設けられている。一方、底板５Ａには、右縦板５Ｃの右側に位置して内側ビーム５Ｈが前，後方向に延びて設けられ、前側ビーム５Ｇの左端は、内側ビーム５Ｈの前端と接続されている。ここで、最も前側に位置する張出しビーム５Ｄ、右サイドフレーム５Ｆの前部、前側ビーム５Ｇおよび内側ビーム５Ｈは、後述する第１の収容ケース１３の周囲を支持する支持台となっている。これらの張出しビーム５Ｄ、右サイドフレーム５Ｆの前部、前側ビーム５Ｇおよび内側ビーム５Ｈに囲まれた内側には、底部側に位置してアンダカバー５Ｊ（図５参照）が設けられている。さらに、前側ビーム５Ｇの前部には、前側に突出して足掛け板５Ｋが設けられ、該足掛け板５Ｋは、上部旋回体３上に乗るときに、最初に足を掛ける第１のステップを構成している。
【００３８】
ここで、左，右の縦板５Ｂ，５Ｃは、その前側位置が作業装置４を構成するブーム４Ａのフート部４Ａ1を取付けるための取付ブラケット５Ｂ1，５Ｃ1となっている。図４に示すように、この取付ブラケット５Ｂ1，５Ｃ1の上部には、左，右方向に同軸となるようにピン挿通孔５Ｂ2，５Ｃ2が形成され、図８に示すように、該各ピン挿通孔５Ｂ2，５Ｃ2には、作業装置４の連結ピン４Ｃが挿着される。
【００３９】
図２に示すように、エンジン６は、旋回フレーム５の後側に設けられ、該エンジン６は、ディーゼルエンジンとして構成され、例えば旋回フレーム５に横置き状態で搭載されている。このエンジン６には、排気ガスを排出するための排気管７が設けられている。
【００４０】
ディーゼルエンジン６は、高効率で耐久性に優れているが、粒子状物質（ＰＭ）、窒素酸化物（ＮＯｘ）等の有害物質が排気ガスと一緒に排出されてしまう。そこで、排気管７には後述する排気ガス浄化装置１９が取付けられている。
【００４１】
熱交換装置８は、エンジン６の左側に設けられ、該熱交換装置８は、エンジン冷却水を冷やすラジエータ、作動油を冷却するオイルクーラ、エンジン６が吸込む空気を冷却するインタクーラを含んで構成されている。一方、油圧ポンプ９は、排気ガス浄化装置１９の下側に位置してエンジン６の右側に取付けられ、該油圧ポンプ９は、エンジン６によって駆動されることにより、作動油タンク１１からの作動油を圧油として吐出するものである。
【００４２】
キャブ１０は、作業装置４を挟んで旋回フレーム５の左前側に設けられている。このキャブ１０は、油圧ショベル１を運転するためにオペレータが搭乗するものである。キャブ１０の内部には、オペレータが着座する運転席、各種操作を行うレバー、ペダル等（いずれも図示せず）が配設されている。
【００４３】
１１はエンジン６の前側に位置して旋回フレーム５の右側位置に設けられた貯油タンクとしての作動油タンクを示している。この作動油タンク１１は、内部に作動油を貯えるもので、上，下方向に延びる直方体状の耐圧タンクとして形成されている。
【００４４】
１２は作動油タンク１１の前側に隣接するように旋回フレーム５の右側位置に設けられた貯油タンクとしての燃料タンクを示している。この燃料タンク１２の前端を構成する後述の前面板１２Ａは、旋回フレーム５の各縦板５Ｂ，５Ｃの取付ブラケット５Ｂ1，５Ｃ1よりも後側となる位置で、かつ右縦板５Ｃの右側位置に配設されている。詳しくは、燃料タンク１２は、作業装置４の連結ピン４Ｃを抜き差しするときに邪魔にならないように、前面板１２Ａが取付ブラケット５Ｂ1，５Ｃ1に形成されたピン挿通孔５Ｂ2，５Ｃ2よりも後側に配置されている。
【００４５】
燃料タンク１２は、内部に燃料を貯えるもので、前面板１２Ａ、後面板１２Ｂ、左側面板１２Ｃ、右側面板１２Ｄ、上面板１２Ｅ、下面板１２Ｆによって直方体状のタンクとして形成されている。上面板１２Ｅには、燃料を給油するための給油口１２Ｇが上向きに突出して設けられている。
【００４６】
ここで、上部旋回体３の上側に乗って作業を行う場合、例えば、燃料タンク１２に燃料を給油する場合には、作業者は燃料タンク１２の上面板１２Ｅ上に乗る必要がある。上面板１２Ｅ上に乗るときには、後述する第１の収容ケース１３の上面１３Ｅ、第２の収容ケース１６の第２のカバー１６Ｈの上カバー部１６Ｈ2を階段（ステップ）として用いることにより、容易に乗り降りすることができる。
【００４７】
次に、旋回フレーム５の右前部に設けられる第１の収容ケース１３と第２の収容ケース１６の構成について説明する。この第１の収容ケース１３と第２の収容ケース１６とは、第１の収容ケース１３が下側で第２の収容ケース１６が上側となるように、上，下方向に重ねて配置されている。
【００４８】
１３は作業装置４を挟んで旋回フレーム５の右側に位置して燃料タンク１２よりも前側に設けられた第１の収容ケースを示している。より具体的には、この第１の収容ケース１３は、旋回フレーム５の右前端に設けられている。図３、図５に示すように、第１の収容ケース１３は、旋回フレーム５の最も前側の張出しビーム５Ｄ、右サイドフレーム５Ｆの前部、前側ビーム５Ｇおよび内側ビーム５Ｈに囲まれた支持台上に設けられている。なお、第１の収容ケース１３の下側はアンダカバー５Ｊにより閉塞され、該アンダカバー５Ｊを利用することにより、大きな容積をもったタンク収容空間１５を画成している。
【００４９】
第１の収容ケース１３は、例えば、燃料タンク１２の前面板１２Ａから旋回フレーム５の前側ビーム５Ｇ前端までを前，後方向の長さ寸法とし、燃料タンク１２の幅寸法と同等の幅寸法をもった上，下方向に扁平な直方体容器として形成されている。即ち、図５、図６に示すように、第１の収容ケース１３は、旋回フレーム５の前側ビーム５Ｇ前端から立ち上がって形成された前面１３Ａと、燃料タンク１２の前面板１２Ａに近接した位置に立設された後面１３Ｂと、前面１３Ａの左端部と後面１３Ｂの左端部とを接続する左側面１３Ｃと、前面１３Ａの右端部と後面１３Ｂの右端部とを接続する右側面１３Ｄと、前記各面１３Ａ〜１３Ｄの上側を閉塞する略正方形状の上面１３Ｅと、各面１３Ａ〜１３Ｄの下端に設けられた下面１３Ｆとにより構成されている。ここで、前記下面１３Ｆは、中央部分が大きく開口した角枠状の板体として形成されている。これにより、第１の収容ケース１３は、底抜け構造となり、下側の旋回フレーム５のアンダカバー５Ｊと協働して大きなタンク収容空間１５を画成している。
【００５０】
前面１３Ａは、上側に向け後側に僅かに傾いた傾斜面として形成され、該前面１３Ａから上面１３Ｅの前部までの範囲が広幅な開口１３Ｇとなっている。この開口１３Ｇは、後述する還元剤タンク２０の給水口２０Ｈに対応する位置に設けられている。第１の収容ケース１３の前側には、開口１３Ｇを閉塞する位置に第１のカバー１３Ｈが設けられ、該カバー１３Ｈは、前面１３Ａと上面１３Ｅとの角隅を支点として開閉するように、上面１３Ｅの前側部位にヒンジ１３Ｈ1を介して開閉（回動）可能に取付けられている。さらに、第１のカバー１３Ｈには、施錠機能付きのロック装置１３Ｈ2が設けられ、これにより、カバー１３Ｈを閉じた状態で施錠することができ、いたずら等を未然に防ぐことができる。
【００５１】
ここで、図５に示すように、第１の収容ケース１３は、その上面１３Ｅの高さ位置が低くなっている。具体的には、上面１３Ｅは、上部旋回体３上に乗るときに最初に足を掛ける第１のステップをなす足掛け板５Ｋから高さ寸法Ｈ1だけ上側に配置されている。これにより、上面１３Ｅは、足掛け板５Ｋに続く低段の第２のステップを形成している。
【００５２】
さらに、第１の収容ケース１３の上面１３Ｅには、靴の滑りを止める滑止め部材としての滑止め板１３Ｊが設けられている。この滑止め板１３Ｊとしては、例えば板材から上向きに突出する円筒状の突起を備えたものを例示している。一方で、滑止め板１３Ｊとして、板材から上向きに突出する直線状の突起を備えたものを適用してもよい。即ち、靴の滑りを止める機能を有するものであれば、この他の形状としてもよい。
【００５３】
第１の収容ケース１３の高さ寸法Ｈ1は、階段として機能するための高さ寸法を確保しつつ、作業装置４の連結ピン４Ｃを抜き差しするときに邪魔にならない高さ寸法、即ち、上面１３Ｅが各縦板５Ｂ，５Ｃの取付ブラケット５Ｂ1，５Ｃ1に形成されたピン挿通孔５Ｂ2，５Ｃ2よりも下側となる寸法に設定されている。ここで、第１の収容ケース１３の高さ寸法Ｈ1は、旋回フレーム５の上面、即ち、張出しビーム５Ｄ、前側ビーム５Ｇ、内側ビーム５Ｈ、足掛け板５Ｋ等の上面を基準にして定められている。
【００５４】
第１の収容ケース１３は、その下面１３Ｆが複数本のボルト１４を用いて旋回フレーム５の張出しビーム５Ｄ、前側ビーム５Ｇ等に取付けられている。さらに、第１の収容ケース１３には、上面１３Ｅの後側に後述する第２の収容ケース１６が取付け、取外し可能に取付けることができる。このために、図８に示すように、上面１３Ｅの後側寄りには、複数個の雌ねじ穴１３Ｋが形成されている。
【００５５】
タンク収容空間１５は、第１の収容ケース１３内に画成されている。このタンク収容空間１５は、第１の収容ケース１３の上面１３Ｅと旋回フレーム５のアンダカバー５Ｊとの間の空間として形成されている。具体的には、第１の収容ケース１３は、張出しビーム５Ｄ、前側ビーム５Ｇ、内側ビーム５Ｈ等の上側に、下面１３Ｆの中央部分が大きく開口した状態で配置されている。これにより、タンク収容空間１５は、第１の収容ケース１３内の収容空間に、各ビーム５Ｄ，５Ｇ，５Ｈの高さ寸法分の収容空間を加えることにより形成されている。このように、第１の収容ケース１３を底抜け構造としたことにより、タンク収容空間１５内の収容空間は、アンダカバー５Ｊの位置まで拡大することができ、後述する大きな還元剤タンク２０を収容できる。
【００５６】
１６は第１の収容ケース１３の上面１３Ｅの後側に設けられた第２の収容ケースを示している。この第２の収容ケース１６は、その前，後方向の長さ寸法を、例えば第１の収容ケース１３の前，後方向の長さ寸法の半分程度に設定することにより、第１の収容ケース１３の上面１３Ｅに足を掛ける領域を確保している。第２の収容ケース１６の幅寸法は、第１の収容ケース１３と同等に設定されている。第２の収容ケース１６は、第１の収容ケース１３の上面１３Ｅ上に取付けられ、その内部には後述の物品収容空間１７が画成されている。
【００５７】
第２の収容ケース１６は、前面１６Ａ、後面１６Ｂ、左側面１６Ｃ、右側面１６Ｄ、上面１６Ｅ、下面１６Ｆにより横長な角筒状の容器として構成されている。前面１６Ａは、上側に向け後側に僅かに傾いた傾斜面として形成され、該前面１６Ａから上面１６Ｅの後側までの広い範囲が開口１６Ｇとなっている。この開口１６Ｇは、前面１６Ａと上面１６Ｅの大部分に設けることにより、後述の工具箱２３等を物品収容空間１７に容易に出し入れすることができる。
【００５８】
第２の収容ケース１６の前側から上側にかけては、開口１６Ｇを閉塞する位置に第２のカバー１６Ｈが設けられている。第２のカバー１６Ｈは、Ｌ字状に折曲げられた板体が用いられ、該カバー１６Ｈは、閉じたときに前面１６Ａに対面する前カバー部１６Ｈ1と、上面１６Ｅに対面し上面１６Ｅの一部をなす上カバー部１６Ｈ2とにより形成されている。第２のカバー１６Ｈは、上面１６Ｅの後側を支点として開閉するように、その上カバー部１６Ｈ2が上面１６Ｅの後部にヒンジ１６Ｈ3を介して開閉（回動）可能に取付けられている。さらに、第２のカバー１６Ｈの前カバー部１６Ｈ1には、施錠機能付きのロック装置１６Ｈ4が設けられ、これにより、カバー１６Ｈを閉じた状態で施錠することができ、いたずら等を未然に防ぐことができる。
【００５９】
ここで、第２の収容ケース１６では、上部旋回体３に乗り降りするときに、第２のカバー１６Ｈの上カバー部１６Ｈ2に足を掛けるようになっており、このカバー１６Ｈは、十分な強度をもって形成されている。ここで、第２の収容ケース１６に乗るときの上面は、第２のカバー１６Ｈの上カバー部１６Ｈ2となっている。従って、第２の収容ケース１６の上面１６Ｅ（即ち、上カバー部１６Ｈ2）の位置は、第１の収容ケース１３の上面１３Ｅよりも高さ寸法Ｈ2だけ高く、燃料タンク１２の上面板１２Ｅよりも高さ寸法Ｈ3だけ低い位置に設定されている。これにより、第２のカバー１６Ｈの上カバー部１６Ｈ2は、第１の収容ケース１３の上面１３Ｅに続く高段の第３のステップを形成している。この上カバー部１６Ｈ2には、靴の滑りを止める滑止め部材としての滑止め板１６Ｊが設けられている。
【００６０】
物品収容空間１７は、第２の収容ケース１６内に画成されている。この物品収容空間１７は、後述の工具箱２３、予備の尿素水のボトル２４、各種消耗品（図示せず）等を収容するものである。
【００６１】
内部が物品収容空間１７となった第２の収容ケース１６は、その下面１６Ｆに挿通した複数本のボルト１４を第１の収容ケース１３の雌ねじ穴１３Ｋに螺着することにより、上面１３Ｅに取付け、取外し可能に取付けられている。
【００６２】
一方、図８に示すように、第２の収容ケース１６を第１の収容ケース１３から取外した状態では、第１の収容ケース１３は、各縦板５Ｂ，５Ｃのピン挿通孔５Ｂ2，５Ｃ2よりも低くなっているから、この第１の収容ケース１３上には、抜き差しスペース１８を形成することができる。この抜き差しスペース１８を設けた状態では、作業装置４のブーム４Ａのフート部４Ａ1を旋回フレーム５の各縦板５Ｂ，５Ｃの取付ブラケット５Ｂ1，５Ｃ1に接続している連結ピン４Ｃを抜き差しすることができる。従って、連結ピン４Ｃの抜き差しにより、作業装置４は上部旋回体３に対して取付け、取外しすることができる。
【００６３】
１９はエンジン６の排気管７に設けられた排気ガス浄化装置である。この排気ガス浄化装置１９は、排気ガス中の粒子状物質（ＰＭ）を捕集し、燃焼して除去すると共に、排気ガス中の窒素酸化物（ＮＯｘ）を還元剤となる尿素水溶液（以下、尿素水という）を用いて浄化するものである。図２に示すように、排気ガス浄化装置１９は、排気管７に接続された収容筒体１９Ａと、該収容筒体１９Ａ内の上流側に収容され、粒子状物質（ＰＭ）を捕集し、燃焼して除去する粒子状物質除去フィルタ１９Ｂと、該粒子状物質除去フィルタ１９Ｂの下流側に配置された尿素選択還元触媒１９Ｃと、該尿素選択還元触媒１９Ｃの下流側に配置された酸化触媒１９Ｄと、尿素選択還元触媒１９Ｃの上流側に設けられた尿素水噴射弁１９Ｅとにより構成されている。尿素水噴射弁１９Ｅは、後述の還元剤供給ポンプ２１、還元剤供給配管２２を介して還元剤タンク２０に接続されている。
【００６４】
ここで、排気ガス浄化装置１９は、粒子状物質除去フィルタ１９Ｂにより排気ガス中に含まれる粒子状物質（ＰＭ）を捕集し、燃焼して除去する。さらに、排気ガス浄化装置１９は、尿素水噴射弁１９Ｅにより排気ガス中に尿素水を噴射し、尿素選択還元触媒１９Ｃにより尿素水から生成されたアンモニアを用いて排気ガス中の排気ガスを還元反応させ、水と窒素に分解する。そして、酸化触媒１９Ｄによって排気ガス中のアンモニアを低減させるものである。
【００６５】
２０は第１の収容ケース１３のタンク収容空間１５内に収容された還元剤タンクを示している。この還元剤タンク２０は、排気ガス浄化装置１９の尿素選択還元触媒１９Ｃの上流側を流通する排気ガス中に供給する尿素水を貯えるものである。還元剤タンク２０は、例えば、第１の収容ケース１３のタンク収容空間１５内に収まるように、旋回フレーム５のアンダカバー５Ｊ上に取付けられている。
【００６６】
具体的には、還元剤タンク２０は、タンク収容空間１５内に収まる高さ寸法をもった箱状体として形成されている。還元剤タンク２０は、前面２０Ａ、後面２０Ｂ、左側面２０Ｃ、右側面２０Ｄ、上面２０Ｅおよび下面２０Ｆからなっている。図７に示すように、上面２０Ｅには、温度センサ、液面センサ（残量計）等のセンサ類（図示せず）が接続されるセンサ接続部２０Ｇが設けられている。
【００６７】
さらに、前面２０Ａの上部位置には、尿素水を給水するための給水口２０Ｈが設けられている。この給水口２０Ｈは、前側または上側、具体的には斜め上側に向けて開口するように設けられている。これにより、第１の収容ケース１３のカバー１３Ｈを開いた状態では、キャップ２０Ｈ1を取外すことにより、前側ないし上側から容易に尿素水を補給することができる。なお、実施の形態では、給水口２０Ｈは斜めに配置したが、前方に向けて、または上方に向けて開口する構成としてもよいものである。
【００６８】
ここで、第１の実施の形態による還元剤タンク２０は、第１の収容ケース１３の上面１３Ｅと旋回フレーム５のアンダカバー５Ｊとの間の大きなタンク収容空間１５に単独で収めることができるから、長時間稼働するために必要な量の尿素水を貯えることができる十分な容量を有している。
【００６９】
図５に示すように、還元剤供給ポンプ２１は、タンク収容空間１５内に位置して還元剤タンク２０の後面２０Ｂに取付けられている。具体的には、還元剤供給ポンプ２１は、還元剤タンク２０の後面２０Ｂと第１の収容ケース１３の後面１３Ｂとの間に配置されている。還元剤供給ポンプ２１は、還元剤タンク２０内の尿素水を還元剤供給配管２２を介して排気ガス浄化装置１９の尿素水噴射弁１９Ｅに向けて供給するものである。この場合、前述したように、還元剤供給ポンプ２１を還元剤タンク２０の後面２０Ｂに取付けることにより、この後面２０Ｂと第１の収容ケース１３の後面１３Ｂとの間の空間（デッドスペース）を利用して配設されている。このように配置することでも、還元剤タンク２０の大型化が図られている。
【００７０】
なお、２３は第２の収容ケース１６の物品収容空間１７内に収容された工具箱、同様に、２４は物品収容空間１７内に収容された予備の尿素水のボトルをそれぞれ示し、これらの工具箱２３、尿素水のボトル２４は、物品収容空間１７内に収容される物品を構成している。工具箱２３内には、メンテナンスに用いるスパナ、ドライバ、グリースガン等（いずれも図示せず）が収容されている。
【００７１】
第１の実施の形態による油圧ショベル１は上述の如き構成を有するもので、次に、その動作について説明する。
【００７２】
キャブ１０に搭乗したオペレータは、エンジン６を始動して油圧ポンプ９を駆動する。この状態で、走行用のレバー等を操作することにより、下部走行体２を前進または後退させることができる。一方、作業用のレバーを操作することにより、作業装置４を俯仰動させて土砂の掘削作業等を行うことができる。
【００７３】
エンジン６の運転時には、その排気管７から有害物質である粒子状物質（ＰＭ）、窒素酸化物（ＮＯｘ）が排出される。このときには、排気ガス浄化装置１９の粒子状物質除去フィルタ１９Ｂが、排気ガス中に含まれる粒子状物質（ＰＭ）を捕集し、燃焼して除去する。さらに、排気ガス浄化装置１９は、還元剤タンク２０内の尿素水溶液を、還元剤供給ポンプ２１を用いて還元剤供給配管２２から尿素水噴射弁１９Ｅに供給する。このときに、尿素水噴射弁１９Ｅから排気ガス中に尿素水溶液を噴射してアンモニアを生成する。これにより、尿素選択還元触媒１９Ｃでは、窒素酸化物を水と窒素に還元し、酸化触媒１９Ｄを経て外部に排出する。この結果、排気ガス浄化装置１９は、粒子状物質と窒素酸化物の排出量を低減することができる。
【００７４】
一方、還元剤タンク２０に尿素水を補給する場合には、第２の収容ケース１６のカバー１６Ｈに設けられたロック装置１６Ｈ4を解錠し、図５中に二点鎖線で示すように、カバー１６Ｈを上側に開く。この状態で、物品収容空間１７に収容されている尿素水のボトル２４を取出す。このように、尿素水のボトル２４を取出したら、第１の収容ケース１３のカバー１３Ｈに設けられたロック装置１３Ｈ2を解錠し、図５中に二点鎖線で示すように、カバー１３Ｈを上側に開く。この状態で、還元剤タンク２０の給水口２０Ｈに取付けられているキャップ２０Ｈ1を取外すことにより、この給水口２０Ｈから尿素水を簡単に補給することができる。
【００７５】
燃料タンク１２に燃料を補給する場合には、下部走行体２から旋回フレーム５の足掛け板５Ｋに足を掛け、続いて第１の収容ケース１３の上面１３Ｅ、第２の収容ケース１６に設けられた第２のカバー１６Ｈの上カバー部１６Ｈ2に順次足を運ぶことにより、燃料タンク１２の上面板１２Ｅ上に乗る。このときに、第１の収容ケース１３の上面１３Ｅと第２のカバー１６Ｈの上カバー部１６Ｈ2には、滑止め板１３Ｊ，１６Ｊを設けているから、足を掛けたときの滑りを止めることができる。燃料タンク１２の上面板１２Ｅ上に乗ることにより、給油口１２Ｇから燃料タンク１２に燃料を補給することができる。
【００７６】
さらに、旋回フレーム５から作業装置４のブーム４Ａを取外す場合について述べる。この場合には、まず、作業装置４を地面に置き、ブーム４Ａをクレーン（図示せず）で吊っておく。次に、第２の収容ケース１６内に収容されている工具箱２３等を取出した後、各ボルト１４を緩めて取外し、第１の収容ケース１３から第２の収容ケース１６を取外して右縦板５Ｃの右側に抜き差しスペース１８を確保する。この状態で、ブーム４Ａのピン挿通孔４Ａ2、フート部４Ａ1を後述する旋回フレーム５の左，右の縦板５Ｂ，５Ｃの取付ブラケット５Ｂ1，５Ｃ1間に配置し、該各縦板５Ｂ，５Ｃのピン挿通孔５Ｂ2，５Ｃ2に挿着されている連結ピン４Ｃを抜き差しスペース１８側（右側）に引き抜く。この手順により、左，右の縦板５Ｂ，５Ｃからブーム４Ａを取外すことができる。この手順を逆から行うことにより、左，右の縦板５Ｂ，５Ｃにブーム４Ａを取付けることができる。
【００７７】
かくして、第１の実施の形態によれば、燃料タンク１２よりも前側となる旋回フレーム５の右前部に位置して、上面１３Ｅの高さ寸法が小さな寸法Ｈ1となった第１の収容ケース１３を設け、この第１の収容ケース１３の上面１３Ｅの後側に重なるように、第２の収容ケース１６を設ける。これにより、第２の収容ケース１６は、第２のカバー１６Ｈの上カバー部１６Ｈ2の位置が前記第１の収容ケース１３の上面１３Ｅよりも高さ寸法Ｈ2だけ高く、前記燃料タンク１２の上面板１２Ｅよりも高さ寸法Ｈ3だけ低い位置に配置することができる。この状態で、第１の収容ケース１３のタンク収容空間１５内には、尿素水を貯える還元剤タンク２０を設け、第２の収容ケース１６の物品収容空間１７内には、工具箱２３、尿素水のボトル２４等の物品を収容する。
【００７８】
このように、第１の実施の形態では、第１の収容ケース１３と第２の収容ケース１６とは、独立して設けているから、第１の収容ケース１３のタンク収容空間１５内には、還元剤タンク２０だけを収容することができる。
【００７９】
この結果、還元剤タンク２０に尿素水を補給する場合には、工具箱２３等の物品に邪魔されることなく、還元剤タンク２０に尿素水を簡単に補給することができる。しかも、還元剤タンク２０を収容するための専用のケースとして第１の収容ケース１３を設けているから、該第１の収容ケース１３のタンク収容空間１５を大きくすることができ、この結果、還元剤タンク２０を大容量に形成することができる。これにより、尿素水の補給作業の回数を減らすことができ、作業性を向上することができる。
【００８０】
一方、工具箱２３等を収容するための専用のケースとして、第１の収容ケース１３とは別個に第２の収容ケース１６を設けている。従って、第２の収容ケース１６の物品収容空間１７内に設けた工具箱２３等は、還元剤タンク２０に邪魔されることなく、容易に出し入れすることができ、使い勝手を良好にすることができる。
【００８１】
還元剤タンク２０は、第１の収容ケース１３内に収容する構成としているから、第１の収容ケース１３によって還元剤タンク２０に雨水や雪が掛からないようにすることができる。これにより、損傷、腐食に対する還元剤タンク２０の耐久性を向上できる上に、保温効果を高めて尿素水が凍結し難くすることができる。
【００８２】
第１の収容ケース１３の上面１３Ｅよりも第２の収容ケース１６の上面１６Ｅを高くすることにより、第１の収容ケース１３の上面１３Ｅを低段のステップとし、第２の収容ケース１６のカバー１６Ｈの上カバー部１６Ｈ2を高段のステップとして燃料タンク１２上に向かう階段を形成することができる。これにより、例えば、燃料の給油作業を行うために燃料タンク１２上に乗る場合には、旋回フレーム５の足掛け板５Ｋ、第１の収容ケース１３の上面１３Ｅ、第２の収容ケース１６のカバー１６Ｈの上カバー部１６Ｈ2に順次足を運ぶことにより、これらを階段として用いて容易に乗ることができる。一方、逆の順番で順次足を掛けることにより、上部旋回体３上から容易に降りることもできる。
【００８３】
しかも、第１の収容ケース１３の上面１３Ｅには滑止め板１３Ｊを設け、第２の収容ケース１６のカバー１６Ｈの上カバー部１６Ｈ2には滑止め板１６Ｊを設けているから、足を掛けたときの滑りを止めることができる。これにより、燃料タンク１２等に乗り降りするときの安全性、給油作業等の作業性等を向上することができる。
【００８４】
第２の収容ケース１６は、第１の収容ケース１３に対して取付け、取外し可能としている。この第２の収容ケース１６を第１の収容ケース１３上から取外した状態では、作業装置４のブーム４Ａを旋回フレーム５の左，右の縦板５Ｂ，５Ｃ（取付ブラケット５Ｂ1，５Ｃ1）に接続している連結ピン４Ｃを抜き差しするための抜き差しスペース１８を確保することができる。これにより、第２の収容ケース１６を取外すだけで連結ピン４Ｃを抜き差しすることができるから、旋回フレーム５の取付ブラケット５Ｂ1，５Ｃ1に対するブーム４Ａの着脱作業を容易に行うことができる。
【００８５】
旋回フレーム５には、底部側に位置してアンダカバー５Ｊを設け、タンク収容空間１５は、第１の収容ケース１３の上面１３Ｅとアンダカバー５Ｊとの間の空間として形成している。これにより、タンク収容空間１５は、第１の収容ケース１３内の収容スペースに、張出しビーム５Ｄ等の上面からアンダカバー５Ｊまでの収容スペースを加えて形成することができる。この結果、タンク収容空間１５には、多くの尿素水を貯えることができる大型の還元剤タンク２０を収容することができる。
【００８６】
還元剤タンク２０には、斜め上側に向けて開口するように給水口２０Ｈを設け、第１の収容ケース１３には、前記還元剤タンク２０の給水口２０Ｈを覆う位置に開閉可能な第１のカバー１３Ｈを設ける構成としている。従って、第１のカバー１３Ｈを開くことにより、還元剤タンク２０の給水口２０Ｈを外部に露出させることができ、この露出した給水口２０Ｈから尿素水を補給することができる。このときに、給水口２０Ｈは、斜め上側に向けて開口しているから、下部走行体２上に乗ることで補給し易い前側位置または上側位置から尿素水位を円滑に補給することができる。
【００８７】
還元剤タンク２０内の尿素水を排気ガス浄化装置１９に供給するための還元剤供給ポンプ２１は、還元剤タンク２０の後面２０Ｂと第１の収容ケース１３の後面１３Ｂとの間に位置して該還元剤タンク２０の後面２０Ｂに取付ける構成としている。従って、還元剤タンク２０の後面２０Ｂと第１の収容ケース１３の後面１３Ｂとの間に形成されるデッドスペースを利用して還元剤供給ポンプ２１を設けることができる。
【００８８】
さらに、第１の収容ケース１３のカバー１３Ｈには、施錠機能付きのロック装置１３Ｈ2を設けているから、このロック装置１３Ｈ2によって第１のカバー１３Ｈを閉じた状態で施錠することができる。これにより、いたずら等を未然に防ぐことができ、還元剤タンク２０を保護することができる。同様に、第２の収容ケース１６のカバー１６Ｈにも、施錠機能付きのロック装置１６Ｈ4を設けているから、このロック装置１６Ｈ4によって内部の工具箱２３等を保護することができる。
【００８９】
次に、図９および図１０は本発明の第２の実施の形態を示している。本実施の形態の特徴は、第１の収容ケースを前側に配置し、第２の収容ケースを第１の収容ケースの後側と貯油タンクとの間に配置し、第２の収容ケースのタンク収容空間内に還元剤タンクを収容する構成としたことにある。なお、第２の実施の形態では、前述した第１の実施の形態と同一の構成要素に同一の符号を付し、その説明を省略するものとする。
【００９０】
図９、図１０に示すように、３１は第２の実施の形態による第１の収容ケースを示している。この第１の収容ケース３１は、第１の実施の形態による第１の収容ケース１３とほぼ同様に、作業装置４を挟んで旋回フレーム５の右前端に設けられている。しかし、第２の実施の形態による第１の収容ケース３１は、前，後方向に短尺で左，右方向に延びた角筒状の容器として形成している点、燃料タンク１２との間に後述する第２の収容ケース３３を配置するためのスペースを形成している点、内部が後述の物品収容空間３２となっている点で、第１の実施の形態による第１の収容ケース１３と相違している。
【００９１】
即ち、第１の収容ケース３１は、例えば、燃料タンク１２の前面板１２Ａから旋回フレーム５の前側ビーム５Ｇ前端までの長さ寸法の約半分を前，後方向の長さ寸法とし、燃料タンク１２の幅寸法と同等の幅寸法をもった横長な角筒状の容器として構成されている。第１の収容ケース３１は、前面３１Ａ、後面３１Ｂ、左側面３１Ｃ、右側面３１Ｄ、上面３１Ｅ、下面３１Ｆにより構成されている。下面３１Ｆは、旋回フレーム５のアンダカバー５Ｊ上に配置され、これにより、第１の収容ケース３１は、下側に位置する旋回フレーム５のアンダカバー５Ｊまでの空間を利用して大きな物品収容空間３２を画成している。
【００９２】
前面３１Ａから上面３１Ｅの前部までの範囲が広幅な開口３１Ｇとなり、この開口３１Ｇを閉塞する位置に第１のカバー３１Ｈが設けられている。第１のカバー３１Ｈは、前面３１Ａと上面３１Ｅとの角隅を支点として開閉するように、上面３１Ｅの前側部位にヒンジ３１Ｈ1を介して開閉（回動）可能に取付けられている。さらに、第１のカバー３１Ｈには、施錠機能付きのロック装置３１Ｈ2が設けられ、これにより、カバー３１Ｈを閉じた状態で施錠することができ、いたずら等を未然に防ぐことができる。
【００９３】
ここで、図１０に示すように、第１の収容ケース３１は、その上面３１Ｅの高さ位置が低く、旋回フレーム５の足掛け板５Ｋから高さ寸法Ｈ4だけ上側に配置されている。これにより、上面３１Ｅは、足掛け板５Ｋに続く低段の第２のステップを形成している。この上面３１Ｅには、靴の滑りを止める滑止め部材としての滑止め板３１Ｊが設けられている。ここで、第１の収容ケース３１の高さ寸法Ｈ4は、旋回フレーム５の上面、即ち、張出しビーム５Ｄ、前側ビーム５Ｇ、内側ビーム５Ｈ、足掛け板５Ｋ等の上面を基準にして定められている。
【００９４】
第１の収容ケース３１は、例えば、後面３１Ｂに支持ブラケット３１Ｋを有し、該支持ブラケット３１Ｋは、第２の収容ケース３３の前部を支持するものである。なお、第２の収容ケース３３の前部を支持するための構成としては、旋回フレーム５に支持台（図示せず）を設ける構成としてもよい。第１の収容ケース３１は、前面３１Ａの下部、下面３１Ｆが複数本のボルト１４を用いて旋回フレーム５の前側ビーム５Ｇ、アンダカバー５Ｊ等に取付けられている。
【００９５】
物品収容空間３２は、第１の収容ケース３１内に画成されている。この物品収容空間３２は、工具箱２３、予備の尿素水のボトル２４、各種消耗品（図示せず）等を収容するものである。物品収容空間３２は、旋回フレーム５の張出しビーム５Ｄ、前側ビーム５Ｇ、内側ビーム５Ｈの下面位置、即ち、アンダカバー５Ｊの位置まで形成されているから、上，下方向に大きく形成し、多くの物品を収容することができる。
【００９６】
３３は第１の収容ケース３１と燃料タンク１２との間に設けられた第２の実施の形態による第２の収容ケースを示している。この第２の収容ケース３３は、前面３３Ａ、後面３３Ｂ、左側面３３Ｃ、右側面３３Ｄ、上面３３Ｅ、下面３３Ｆにより前，後方向に扁平な箱状体として形成されている。第２の収容ケース３３は、前面３３Ａから上面３３Ｅの後側までの広い範囲が開口３３Ｇとなっている。この開口３３Ｇは、後述する還元剤タンク３５の給水口３５Ｇに対応する位置に設けられている。
【００９７】
第２の収容ケース３３の前側から上側にかけては、開口３３Ｇを閉塞する位置に第２のカバー３３Ｈが設けられている。第２のカバー３３Ｈは、前カバー部３３Ｈ1と上カバー部３３Ｈ2とによりＬ字状に折曲げられた板体として形成されている。第２のカバー３３Ｈは、上面３３Ｅの後側を支点として開閉するように、その上カバー部３３Ｈ2が上面３３Ｅの後部にヒンジ３３Ｈ3を介して開閉（回動）可能に取付けられている。第２のカバー３３Ｈの前カバー部３３Ｈ1には、施錠機能付きのロック装置３３Ｈ4が設けられ、これにより、カバー３３Ｈを閉じた状態で施錠することができ、いたずら等を未然に防ぐことができる。
【００９８】
さらに、第２のカバー３３Ｈの上カバー部３３Ｈ2は、足を掛けるようになっており、第２の収容ケース３３に乗るときの上面は、このカバー３３Ｈの上カバー部３３Ｈ2となっている。従って、第２の収容ケース３３の上面３３Ｅ（即ち、上カバー部３３Ｈ2）の位置は、第１の収容ケース３１の上面３１Ｅよりも高さ寸法Ｈ5だけ高く、燃料タンク１２の上面板１２Ｅよりも高さ寸法Ｈ6だけ低い位置に設定されている。これにより、第２のカバー３３Ｈの上カバー部３３Ｈ2は、第１の収容ケース３１の上面３１Ｅに続く高段の第３のステップを形成している。この上カバー部３３Ｈ2には、滑止め部材としての滑止め板３３Ｊが設けられている。
【００９９】
タンク収容空間３４は、第２の収容ケース３３内に画成されている。このタンク収容空間３４は、第２の収容ケース３３内の全ての空間を使用することで、大きな容積をもって形成することができる。このタンク収容空間３４内には、後述する還元剤タンク３５が収容されている。
【０１００】
内部がタンク収容空間３４となった第２の収容ケース３３は、例えば、下面３３Ｆの前側部位が第１の収容ケース３１の支持ブラケット３１Ｋにボルト１４を用いて取付けられ、下面３３Ｆの後側部位が旋回フレーム５の張出しビーム５Ｄにボルト１４を用いて取付けられている。さらに、第２の収容ケース３３を第１の収容ケース３１から取外した状態では、燃料タンク１２と第１の収容ケース３１との間に、第１の実施の形態による抜き差しスペース１８とほぼ同様の抜き差しスペース（図示せず）を形成することができる。
【０１０１】
３５は第２の収容ケース３３のタンク収容空間３４内に収容された還元剤タンクを示している。この還元剤タンク３５は、排気ガス浄化装置１９に供給する尿素水を貯えるものである。還元剤タンク３５は、タンク収容空間３４内に収まる高さ寸法をもった箱状体として形成されている。還元剤タンク３５は、前面３５Ａ、後面３５Ｂ、左側面３５Ｃ、右側面３５Ｄ、上面３５Ｅおよび下面３５Ｆから構成されている。前面３５Ａの上部位置ないし上面３５Ｅの前部位置には、尿素水を給水するための給水口３５Ｇが設けられている。この給水口３５Ｇは、前側に向け斜め上側に開口するように設けられ、これにより、第２の収容ケース３３のカバー３３Ｈを開いた状態では、キャップ３５Ｇ1を取外すことにより、前側から容易に尿素水を補給することができる。
【０１０２】
ここで、第２の実施の形態による還元剤タンク３５は、第２の収容ケース３３内のタンク収容空間３４に単独で収めることができるから、長時間稼働するために必要な量の尿素水を貯えることができる十分な容量を有している。なお、還元剤タンク３５には、還元剤供給ポンプと還元剤供給配管（いずれも図示せず）が接続されている。
【０１０３】
かくして、このように構成された第２の実施の形態においても、前述した第１の実施の形態とほぼ同様の作用効果を得ることができる。即ち、第２の実施の形態によれば、第１の収容ケース３１と第２の収容ケース３３とを独立して設け、第２の収容ケース３３のタンク収容空間３４内に還元剤タンク３５だけを収容することができる。この結果、還元剤タンク３５に尿素水を簡単に補給することができる。しかも、第２の収容ケース３３内の空間を還元剤タンク３５だけで使用することができるから、該還元剤タンク３５を大型化して尿素水の補給作業の回数を減らすことができる。第２の収容ケース３３内に収容した還元剤タンク３５は、雨水や雪が掛からないから、損傷、腐食に対する耐久性を向上でき、尿素水が凍結し難くすることができる。
【０１０４】
一方、工具箱２３等を収容するためだけに第１の収容ケース３１を設けているから、第１の収容ケース３１の物品収容空間３２内に設けた工具箱２３等を容易に出し入れすることができる。
【０１０５】
しかも、第１の収容ケース３１と第２の収容ケース３３を階段として用いることができるから、燃料の給油作業等を行う場合には、これらを階段として用いて上部旋回体３上に容易に乗ることができ、上部旋回体３上から容易に降りることもできる。
【０１０６】
還元剤タンク３５の給水口３５Ｇは、前側に向け斜め上側に開口しているから、下部走行体２上に乗ることで補給し易い前側位置から尿素水位を補給することができる。さらに、給水口３５Ｇを覆う第２の収容ケース３３のカバー３３Ｈには、施錠機能付きのロック装置３３Ｈ4を設けているから、いたずら等から還元剤タンク３５を保護することができる。同様に、第１の収容ケース３１内の工具箱２３等も保護することができる。
【０１０７】
なお、第１の実施の形態では、貯油タンクとして燃料を貯える燃料タンク１２を例示し、この燃料タンク１２の前側に第１の収容ケース１３、還元剤タンク２０を配置した場合を例に挙げて説明した。しかし、本発明はこれに限らず、燃料タンク１２の前側に作動油タンク１１を設け、この作動油タンク１１の前側に第１の収容ケース１３、還元剤タンク２０を配置する構成としてもよい。この構成は、第２の実施の形態にも同様に適用できるものである。
【０１０８】
第１の実施の形態では、キャブ１０を作業装置４を挟んで旋回フレーム５の左側に設け、作動油タンク１１、燃料タンク１２、第１の収容ケース１３、第２の収容ケース１６を旋回フレーム５の右側に設けた場合を例に挙げて説明した。しかし、本発明はこれに限るものではなく、キャブ１０を旋回フレーム５の右側に設け、作動油タンク１１、燃料タンク１２、第１の収容ケース１３、第２の収容ケース１６を旋回フレーム５の左側に設ける構成としてもよい。この構成は、第２の実施の形態にも同様に適用できるものである。
【０１０９】
第２の実施の形態では、第２の収容ケース３３の下面３３Ｆ上に還元剤タンク３５を設けた場合を例に挙げて説明している。しかし、本発明はこれに限らず、図１０中に二点鎖線で示すように、例えば、第２の収容ケース３３の下面３３Ｆを底抜け構造としてタンク収容空間３４の一部を拡大し、第２の収容ケース３３内に収容される還元剤タンク３５の一部を旋回フレーム５のアンダカバー５Ｊまで下側に延ばして形成することもできる。この場合には、二点鎖線で示す部分まで還元剤タンク３５の容量を増大することができる。
【０１１０】
さらに、各実施の形態では、建設機械として、クローラ式の油圧ショベル１を例に挙げて説明した。しかし、本発明はこれに限るものではなく、ホイール式の油圧ショベルに適用してもよい。それ以外にも、油圧クレーン等の他の建設機械にも広く適用することができる。
【符号の説明】
【０１１１】
１  油圧ショベル（建設機械）
２  下部走行体
３  上部旋回体
４  作業装置
４Ａ  ブーム
４Ａ1  フート部
４Ｃ  連結ピン
５  旋回フレーム
５Ｂ  左縦板
５Ｂ1，５Ｃ1  取付ブラケット
５Ｃ  右縦板
５Ｊ  アンダカバー
１１  作動油タンク（貯油タンク）
１２  燃料タンク（貯油タンク）
１２Ａ  前面板（前端）
１２Ｂ  後面板
１２Ｃ  左側面板
１２Ｄ  右側面板
１２Ｅ  上面板
１２Ｆ  下面板
１２Ｇ  給油口
１３，３１  第１の収容ケース
１３Ａ，１６Ａ，２０Ａ，３１Ａ，３３Ａ，３５Ａ  前面
１３Ｂ，１６Ｂ，２０Ｂ，３１Ｂ，３３Ｂ，３５Ｂ  後面
１３Ｃ，１６Ｃ，２０Ｃ，３１Ｃ，３３Ｃ，３５Ｃ  左側面
１３Ｄ，１６Ｄ，２０Ｄ，３１Ｄ，３３Ｄ，３５Ｄ  右側面
１３Ｅ，１６Ｅ，２０Ｅ，３１Ｅ，３３Ｅ，３５Ｅ  上面
１３Ｆ，１６Ｆ，２０Ｆ，３１Ｆ，３３Ｆ，３５Ｆ  下面
１３Ｇ，１６Ｇ，３１Ｇ，３３Ｇ  開口
１３Ｈ，３１Ｈ  第１のカバー
１３Ｈ1，１６Ｈ3，３１Ｈ1，３３Ｈ3  ヒンジ
１３Ｊ，１６Ｊ，３１Ｊ，３３Ｊ  滑止め板（滑止め部材）
１５，３４  タンク収容空間
１６，３３  第２の収容ケース
１６Ｈ，３３Ｈ  第２のカバー
１６Ｈ2，３３Ｈ2  上カバー部（上面）
１７，３２  物品収容空間
１８  抜き差しスペース
１９  排気ガス浄化装置
２０，３５  還元剤タンク
２０Ｈ，３５Ｇ  給水口
２１  還元剤供給ポンプ
２２  還元剤供給配管
２３  工具箱（物品）
２４  尿素水のボトル（物品）
Ｈ1，Ｈ4  旋回フレームの足掛け板と第１の収容ケースの上面との間の高さ寸法
Ｈ2，Ｈ5  第１の収容ケースの上面と第２の収容ケースの上面との間の高さ寸法
Ｈ3，Ｈ6  第２の収容ケースの第２のカバーの上面と燃料タンクの上面板との間の高さ寸法
【図１】
0005990257.tif 000002
【図２】
0005990257.tif 000003
【図３】
0005990257.tif 000004
【図４】
0005990257.tif 000005
【図５】
0005990257.tif 000006
【図６】
0005990257.tif 000007
【図７】
0005990257.tif 000008
【図８】
0005990257.tif 000009
【図９】
0005990257.tif 000010
【図１０】
0005990257.tif 000011